Podtech/llm-jp-corpus-v4-ja_patent huggingface dataset:
(57)【要約】      （修正有）【課題】衣類を大量に区分して、カビ・虫喰い・ホコリ等の影響を受けずに長期保管し、その衣類の出し入れを迅速に行うには、従来の方法では不十分であった。【解決手段】八角柱の収納箱１をコンベアー状に連ね、コンピューター制御で横に移動するコンベアーボックス全体をエアコン９を設置したパネルで囲う事によって、衣類を安全に長期保管し、且つ速やかに出し入れする事が可能になるのである。【選択図】図１
0003130366.tif 000002
【実用新案登録請求の範囲】
【請求項１】
防虫パネルを内臓した縦長の収納箱を水平方向にコンベアー状に連ねて１つ１つの収納箱が横方向に移動する事を特徴とする回転式衣類収納ボックスである。
【請求項２】
電動で連続して横に移動する衣類用収納箱をコンピューター制御で速やかに目的の位置にセットする事を特徴とする回転式衣類用収納ボックスである。
【請求項３】
収納される衣類が、外気の影響を受けない様にするために、ボックスコンベアー全体を空気調整機（エアコン）を設置したパネルで囲んだ事を特徴とした衣類収納用ボックスコンベアーである。
【考案の詳細な説明】
【技術分野】
【０００１】  本考案は衣類の収納（箱）に関する技術分野である。
【背景技術】
【０００２】  従来の収納ボックスは単に横にスライドするものやコンベアー状のフックに衣類をかけて回転させるだけのものであった。
【本考案が解決しようとする課題】
【０００３】  しかしながら、以上の従来の技術では、衣類は剥きだし状態で外気やホコリ等の影響を受け易く、衣類にダメージを与えかねない状態であった。そこで本考案は、衣類をいかに安全に長期保管出来るか、且つ速やかに目的の位置にセットして、必要な衣類の出し入れができるかという事を課題とする。
【課題を解決する手段】
【０００４】  以上の課題を解決するために、請求項１と３の考案は、縦長の六角柱の箱をコンベアー状に連ね、目的の位置に移動し、且つカビ対策用にコンベアー全体を空気調整機（エアコン）を設置したパネルで囲んだものである。
請求項２は、コンピューター制御で横方向に電動で回転する連続した縦長の衣類収納ボックスを速やかに目的の位置にセットして衣類の出し入れができるものである。
【考案を実施するための最良の形態】
【０００５】  以下、本考案の実施形態を図１に基づいて説明する。【０００６】  図１において、１の収納箱は３のチェーンに取り付けられている。１の形状は六角柱になっている。これは左右のコーナーに達する手前で前後の収納箱の角どうしが接触するのを防止するためにこのような形状になっている。さらに１の収納箱は一部防虫パネルで囲まれており、内側上部には衣類のハンガーを掛ける為のバー（パイプ）がついている。【０００７】  ２は４のモーターの駆動を伝達させるチェーンを支持するためのローラーで、左右の頂点部には中間のサブローラーがついている。【０００８】  ４のモーターと５の制御ボックスはメンテナンスを考慮して本体の下部に設置する。【０００９】  ６のカバー（パネル）は外気と遮断できる素材である。
【他の実施形態】
【００１０】  本考案の用途は衣類の長期保管収納であるが、湿度が一定に保たれ、外気の影響を受けないので、重要な美術品や書類や記録等を長期に保管し、且つ必要な時に速やかに出し入れが可能である。
【本考案の効果】
【００１１】  上述したように、本考案の衣類保管用ボックスコンベアーは衣類を安全に長期保管し、必要な時に速やかに衣類を出し入れできるシステムである。
【図面の簡単な説明】
【図１】  左前面からの外観図
【符号の説明】
１  収納箱
２  ローラー（チェーン支持用）
３  チェーン
４  モーター
５  制御ボックス
６  カバー
７  下部レール
８  防虫パネル
９  エアコン
【図１】
0003130366.tif 000003
【手続補正書】
【提出日】平成18年12月1日(2006.12.1)
【手続補正１】
【補正対象書類名】実用新案登録請求の範囲
【補正対象項目名】全文
【補正方法】変更
【補正の内容】
【実用新案登録請求の範囲】
【請求項１】
防虫パネルを内蔵した縦長の収納箱を水平方向にコンベアー状に連ねて１つ１つの収納箱が横方向に移動する事を特徴とする回転式衣類収納ボックスコンベアー。
【請求項２】
電動で連続して横に移動する衣類用収納箱をコンピューター制御で速やかに目的の位置にセットする事を特徴とする請求項１に記載の回転式衣類収納ボックスコンベアー。
【請求項３】
収納される衣類が、外気の影響を受けない様にするために、請求項１又は２に記載の回転式衣類収納ボックスコンベアー全体を空気調整機（エアコン）を設置したパネルで囲んだ事を特徴とする回転式衣類収納用ボックスコンベアーシステム。
【手続補正書】
【提出日】平成19年1月15日(2007.1.15)
【手続補正１】
【補正対象書類名】実用新案登録請求の範囲
【補正対象項目名】請求項３
【補正方法】変更
【補正の内容】
【請求項３】
収納される衣類が、外気の影響を受けない様にするために、請求項１又は２に記載の回転式衣類収納ボックスコンベアー全体を空気調整機を設置したパネルで囲んだ事を特徴とする回転式衣類収納用ボックスコンベアーシステム。
(57)【要約】      （修正有）【課題】従来のドリンクホルダーでは出来ない紙パック飲料の保持を、従来のドリンクホルダーを取り替えることなく、装着するだけで紙パック飲料を保持できるドリンクホルダーを提供する。【解決手段】従来のドリンクホルダーに紙パック飲料の保持が出来る着脱器具を用いる。【選択図】図６
0003130365.tif 000002
【実用新案登録請求の範囲】
【請求項１】
（１）上部は四角い筒形、下部は円い筒形の形状（図１）をした紙パックホルダー、従来のドリンクホルダーに、装着することを特徴とする、紙パック飲料の保持が出来る着脱器具。
【考案の詳細な説明】
【技術分野】
【０００１】  この考案は、紙パック飲料の保持が出来るドリンクホルダーに関する。
【背景技術】
【０００２】  従来のドリンクホルダーの形状は、図４に示すように、主に缶、ペットボトル飲料を保持するように作られているものが多い。
【考案の開示】
【考案が解決しようとする課題】
【０００３】  以上のものは、缶、ペットボトルが主流で、紙パック飲料を保持できない。そこで、この考案は従来のドリンクホルダーを取り替えることなく、装着するだけで紙パック飲料を保持できるドリンクホルダーを課題とする。
【課題を解決するための手段】
【０００４】  以上の課題を解決するために、従来のドリンクホルダーに、紙パック飲料の保持が出来る着脱器具を用いる。
【考案の効果】
【０００５】  この考案によれば、紙パック飲料の保持が出来る着脱器具を用いれば、従来のドリンクホルダーをそのまま使用して取り替えることなく、紙パック飲料を保持させることができ取り外すと、従来のドリンクホルダーに戻る。
【考案を実施するための最良の形態】
【０００６】  この考案の実地形態を図１，２，３に示す。この本体はプラスチック製で、上部は紙パック飲料を保持できる四角の形状となっている。（１Ａ）下部は缶等の形状にし、従来のドリンクホルダーに合うようにした。（１Ｂ）上部と下部は一体物である。
【実施例】
【０００７】  この形態にすれば、下部が缶等の形状をしており、従来のドリンクホルダーを取り替えることなく、装着するだけで紙パック飲料が保持できるドリンクホルダーになる。
【産業上の利用可能性】
【０００８】従来のドリンクホルダーに、装着する（図６）だけなので、自動車等に装備されているドリンクホルダーを、改良することなく使える。
【図面の簡単な説明】
【０００９】
【図１】この考案の形態を示す斜視図である。
【図２】この考案の形態を示す平面図である。
【図３】この考案の形態を示す断面図である。
【図４】従来技術を示す斜視図である。
【図５】紙パック飲料を保持した状態の斜視図である。
【図６】従来のドリンクホルダーに装着した状態の斜視図である。
【符号の説明】
【００１０】１    紙パック飲料用着脱器具
１Ａ  紙パック飲料用着脱器具  上部
１Ｂ  紙パック飲料用着脱器具  下部
２    従来のドリンクホルダー
３    缶飲料
４    紙パック飲料
【図１】
0003130365.tif 000003
【図２】
0003130365.tif 000004
【図３】
0003130365.tif 000005
【図４】
0003130365.tif 000006
【図５】
0003130365.tif 000007
【図６】
0003130365.tif 000008
【手続補正書】
【提出日】平成18年10月26日(2006.10.26)
【手続補正１】
【補正対象書類名】実用新案登録請求の範囲
【補正対象項目名】全文
【補正方法】変更
【補正の内容】
【実用新案登録請求の範囲】
【請求項１】
（１）着脱紙パックホルダーの形状は、半分から上部は紙パック飲料を保持できる四角い筒形になっている、下部は缶の形に似た円い筒形の形状となっている、
ドリンクホルダーに、装着、脱着することを特徴とし、ドリンクホルダーを取り替えることなく、紙パック飲料の保持が出来る着脱器具。
(57)【要約】      （修正有）【課題】非常、緊急時に携帯（又は設置）しているとすばやく使える。マスクが乾かないようにして、１年間以上使用出来るようにする。狭い空間に大勢の人が居る所（特急列車内・劇場等）にあらかじめ簡単に数多く設置できる。特に予知できない天災のときには、常時携帯できる小型製品なので、手元にあることにより最大限の効果を発揮する。【解決手段】水分を長期間保持するために包装４を丈夫にする。折りたたんだり、丸めても使用効果を維持して、尚且つ切れ目７により開封を容易にする。【選択図】図１
0003130364.tif 000002
【実用新案登録請求の範囲】
【請求項１】
水分には煙や気化性有害物質を吸着する性質がある。
マスクを煮沸した水で常に飽和状態にして、身近な場所に置くかポケットやバック等に入れて緊急時に間に合うように持ち歩く。
容器はビニールやポリエチレン製にして、密閉率を高くし、水分の蒸発をなくす。
製品を丸めたり、小さく折りたたんで（例えば四つ折り・縦６ｃｍ、横９ｃｍ、厚さ１ｃｍ）も耐久性に影響ないようにする。
【考案の詳細な説明】
【考案の開示】
【考案が解決しようとする課題】
【０００１】風邪やインフルエンザ等ではマスクが多用されるが火災や地震時に煙や噴煙の中で呼吸を楽にするには少し弱い面がある。
本考案は火災現場での退避時に煙や有害物質の吸引を緩和し、呼吸しやすくする効果がある。
【課題を解決するための手段】
【０００２】マスク本体１が常にぬれている状態にするために包装内部３に水を少量（浸している程度）入れる。
【考案の効果】
【０００３】火災等の非難時には、本簡易防煙マスクを使用していると両手を自由に使える。
水に濡れているために煙を吸っても楽に呼吸できる。
天災の際は耐用年数が１年以上あり、使用効果を長期間維持できる。
廉価な面をいかして、あらかじめいろんな箇所に数多く設置できる。
【図面の簡単な説明】
【０００４】
【図１】本考案の全体図である
【図２】本考案の側面図である
【符号の説明】
【０００５】１    マスク本体
２    ゴムヒモ
３    煮沸水
４    柔軟な耐水容器
５    ガーゼ等
６    接着面
７    切れ目
【図１】
0003130364.tif 000003
【図２】
0003130364.tif 000004
【手続補正書】
【提出日】平成18年10月3日(2006.10.3)
【手続補正１】
【補正対象書類名】実用新案登録請求の範囲
【補正対象項目名】全文
【補正方法】変更
【補正の内容】
【実用新案登録請求の範囲】
【請求項１】
コットン又は吸水質の布地で作ったマスクに煮沸ずみの水を浸して、塩化ビニール又はポリエチレン製等軟質な四角い容器に蓄えて密閉する。
それにより使用中のマスク内が水分で飽和状態になるので煙や粉塵の吸引を軽減する効果がある簡易防煙マスク。
【手続補正書】
【提出日】平成18年12月12日(2006.12.12)
【手続補正１】
【補正対象書類名】実用新案登録請求の範囲
【補正対象項目名】全文
【補正方法】変更
【補正の内容】
【実用新案登録請求の範囲】
【請求項１】
煮沸済みの水で浸したマスクを耐水性のある軟質な容器で密閉しているため、使用する際に水分により煙の中でも呼吸を楽にする効果がある簡易防煙マスク。
(57)【要約】【課題】この考案はトイレットペーパー活用範囲の弊害となっていた露出度の軽減及びファッション性の向上を目的とする。【解決手段】トイレットペーパーを専用ボックスに入れる事で露出を軽減。また、ボックス本体のカラーリングやカッティング及びキャラクター等でファッション性と活用範囲が飛躍的に拡大する。【選択図】図１
0003130370.tif 000002
【実用新案登録請求の範囲】
【請求項１】
トイレットペーパーボックス本体（１）にトイレットペーパー（２）を入れる。
以上のように構成された携帯トイレットペーパーボックス
【考案の詳細な説明】
【考案の詳細な説明】
【技術分野】
【０００１】この考案は，トイレットペーパー活用範囲の拡大に関するものである
【背景技術】
【０００２】従来のトイレットペーパーは、専用ボックスやカバー等が無く、そのままでは露出によるイメージの為、主にトイレでの利用に限定されていた。
【考案が解決しようとしている課題】
【０００３】この考案は、トイレットペーパー活用範囲の弊害となっていた露出に着眼し、これを軽減させる事でイメージアップと活用範囲の拡大を課題としている。
【課題を解決しようとするための手段】
【０００４】その手段としてトイレットペーパーを覆い隠す事で露出を軽減する。また本体のカラーリングやカッティング、キャラクター等でファッション性の向上及びイメージアップが可能となる。
【考案を実施するための最良の形態】
【０００５】これを図面に従って説明すれば
１．  トイレットペーパーボックス（１）にトイレットペーパー（２）を入れる。
２．  カラーリング、カッティング、キャラクター等でイメージアップ。
【実施例】
【０００６】この考案を使用することで、トイレットペーパーのファッション性やイメージは飛躍的に向上する。そして携帯用、卓上用、車載用等、活用範囲も拡大する。
【考案の効果】
【０００７】この考案は以上のような構造なので従来、裸のままでトイレットペーパーをテーブルに置く事、車に載せる事、ちょっと携帯する事等、本考案以前には無かった所での利用が効果として得られるようになった。
【図１】
0003130370.tif 000003
【手続補正書】
【提出日】平成18年12月20日(2006.12.20)
【手続補正１】
【補正対象書類名】実用新案登録請求の範囲
【補正対象項目名】全文
【補正方法】変更
【補正の内容】
【実用新案登録請求の範囲】
【請求項１】
トイレットペーパーの露出低減と活用範囲拡大の目的において
（１）  トイレットペーパーを覆い隠し、簡易ホルダー機能を具備した、
トイレットペーパー専用の露出低減収納容器に、
（２）  サイズ調整されたトイレットペーパーを収納する、
以上のように構成された携帯トイレットペーパーボックス
【手続補正２】
【補正対象書類名】明細書
【補正の内容】
0003130370.tif 000004
0003130370.tif 000005
【手続補正３】
【補正対象書類名】図面
【補正対象項目名】全図
【補正方法】変更
【補正の内容】
【図１】
0003130370.tif 000006
(57)【要約】      （修正有）【課題】収納物の落下を確実に防止し、且つ、構造が簡単で、丈夫で、安価な二重雨蓋式ポケットを提供する。【解決手段】ポケット本体とポケット本体の上口部に縫着した雨蓋から成り、且つ、ポケットは雨蓋開状態時に、ポケット本体上部と雨蓋付根部が、所定寸法程重合するよう両端部をそれぞれ縫着して設け、且つ、物品収納時は、重合した雨蓋と、ポケット本体上部の折り目部から一緒に折り返し、密閉して収納するものである。【選択図】図１
0003130328.tif 000002
【実用新案登録請求の範囲】
【請求項１】
衣服等に設けるポケットにおいて、該ポケットはポケット本体（１）とポケット本体の上口部に縫着した雨蓋（２）から成り、且つ、該ポケットは雨蓋開状態時にポケット本体上部（１ａ）と雨蓋付根部が所定寸法（Ｘ）程重合するよう両端部をそれぞれ縫着して設け、且つ、物品収納時は、重合した雨蓋（２）と、ポケット本体上部（１ａ）の折り目部（Ｆ）から一緒に折り返し、密閉して収納する事を特徴とする二重雨蓋式ポケット。
【考案の詳細な説明】
【技術分野】
【０００１】
この考案は、二重雨蓋式ポケットに関するものである。
【背景技術】
【０００２】
従来、ポケットの役割は、小銭等の小物を入れる為に、衣服等に設けて使用するものであるが、激しい運動や作業をしたり、姿勢を変えたりすることで、ポケットに入れた物が落下して紛失する為、それを防止する為に、特にスポーツや作業用衣服には、ポケットの上部に雨蓋を設けた雨蓋付ポケットが多く使用されている。
【０００３】
しかし、従来の雨蓋付ポケットは、ポケットの上口部を完全に密閉出来る構造に成っていない為、激しい運動や作業をした場合には、小物等の場合には、隙間から落下する事がある。従って、これらの問題を解決すべく、落下防止型の二重雨蓋式ポケットの早期開発が望まれている。
【０００４】
そこで、これまでに出願されているポケットの特許文献を、参考の為、紹介する。（特許文献１〜２参照。）
【特許文献１】登録実用新案第３００９５０８号
【特許文献２】登録実用新案第３０７２８００号
【考案の開示】
【考案が解決しようとする課題】
【０００５】
そこで、上記課題を解決する為に、この考案は、収納物の落下を確実に防止し、且つ、構造が簡単で、丈夫で、安価な二重雨蓋式ポケットを開発・提供する事にある。
【課題を解決するための手段】
【０００６】
この課題を解決する為の手段として、ポケット本体と、ポケット本体の上口部に縫着した雨蓋から成り、且つ、該ポケットは雨蓋開状態時に、ポケット本体上部と雨蓋付根部が、所定寸法程重合するよう両端部をそれぞれ縫着して設け、且つ、物品収納時は、重合した雨蓋と、ポケット本体上部の折り目部から一緒に折り返し、密閉して収納するものである。
【考案の効果】
【０００７】
この考案の効果として、ポケット本体と、ポケット本体の上口部に縫着した雨蓋から成り、且つ、該ポケットは、雨蓋開状態時に、ポケット本体上部と雨蓋付根部が、所定寸法程重合するよう両端部をそれぞれ縫着して設け、且つ、物品収納時は、重合した雨蓋とポケット本体上部の折り目部から一緒に折り返し、密閉して収納する事で、収納物の落下を確実に防止し、高所作業や食品・危険物の取り扱いには最適である等、極めて有益なる効果を奏するものである。
【考案を実施するための最良の形態】
【０００８】
この考案の最良の形態として、ポケット本体上部に設けた所定寸法の重合部は、ポケットの雨蓋閉時に、重合部が完全密閉可能な最適な寸法を設定する事が重要である。
【実施例１】
【０００９】
そこで、この考案の一実施例を図１〜図４に基づいて詳述すると、衣服等に設けるポケットにおいて、該ポケットは、ポケット本体（１）と、ポケット本体の上口部に縫着した雨蓋（２）から成り、且つ、該ポケットは、雨蓋開状態時に、ポケット本体上部（１ａ）と雨蓋付根部が、所定寸法（Ｘ）程重合するよう両端部をそれぞれ縫着して設け、且つ、物品収納時は重合した雨蓋（２）と、ポケット本体上部（１ａ）の折り目部（Ｆ）から一緒に折り返し、密閉して収納する事を特徴とする二重雨蓋式ポケットから構成される。
【００１０】
次に、この考案の詳細について説明すると、図１〜図４に示すポケットは、各種作業服等に設けたもので、ポケットの上口部には雨蓋（２）が設けられ、且つ、該雨蓋（２）の裏面部左右二箇所とポケットの表面左右二箇所には、雨蓋係止用の鉤状留金（Ｈ１）（Ｈ２）がそれぞれ係止されている。
【００１１】
そして、ポケット本体上部（１ａ）は、雨蓋開時に、雨蓋付根部と重合する様に、所定寸法（Ｘ）（約１５ｍｍ）程延長し、且つ、左右両端部に、カントメ（又はカンヌキ止め）と言われる一定幅の止め縫いをそれぞれ施している
【００１２】
又、図１は、ポケットの雨蓋開時の正面図で、図２は、ポケットの雨蓋閉時の正面図を示し、又、図３は、図１のａ−ａ矢視断面図で、図４は、図２のａ−ａ矢視断面図を示す。
【００１３】
上記、図４に示す様に、ポケットの雨蓋閉時は、ポケットの上口部が完全に密閉状態に成り、激しい運動や作業をしても、小銭等の収納物品がポケット内部から飛び出る心配は無く、しかも、取り出す時も従来通り、簡単に取り出す事が出来る。
【産業上の利用可能性】
【００１４】
この考案の二重雨蓋式ポケットは、収納物の落下を確実に防止し、且つ、構造が簡単で、丈夫で、安価である為、多くの衣料品業界市場に寄与する点で産業上の利用可能性を有する。
【図面の簡単な説明】
【００１５】
【図１】この考案の一実施例を示し、ポケットの雨蓋開時の正面図である。
【図２】この考案の一実施例を示し、ポケットの雨蓋閉時の正面図である。
【図３】この考案の一実施例を示し、図１のａ−ａ矢視断面図である。
【図４】この考案の一実施例を示し、図２のａ−ａ矢視断面図である。
【符号の説明】
【００１６】
１  ポケット本体
１ａ  ポケット本体上部
２  雨蓋
Ｆ  折り目部
Ｈ１  鉤状留金
Ｈ２  鉤状留金
Ｘ  所定寸法
【図１】
0003130328.tif 000003
【図２】
0003130328.tif 000004
【図３】
0003130328.tif 000005
【図４】
0003130328.tif 000006
(57)【要約】【課題】  洗濯物やぬれた物を強制乾燥と同時に香りを付着させる【解決手段】  乾燥機からの送風を、パイプ介してハンガーの首の部分に設けた開口より、ハンガー（衣類）の中に取り込む、それと同時にパイプの任意の点に、着香用の香源を取り付け、乾燥と同時に好みの香りを衣類に付着させる。【選択図】図２
0003130063.tif 000002
【実用新案登録請求の範囲】
【請求項１】
ハンガー本体に乾燥機からの送風パイプを接続する。そのパイプの任意の点に着香用の香源を取り付け、衣類の強制乾燥と同時に、香りを着付させることを特徴とした、乾燥着香ハンガー。
【考案の詳細な説明】
【技術分野】
【０００１】  この考案は日常の生活において、洗濯物やぬれた物を乾かす時に使用するハンガーと、強制乾燥するために接続するパイプの用具である。
【背景技術】
【０００２】  従来のハンガーは、洗濯物を自然乾燥させるものである。
【考案の開示】
【考案が解決しようとする課題】
【０００３】  しかしながら、上記の技術は乾燥能力が低く、好みの香りを付着するという機能も有していないという、課題がある。  この考案は、上記の点に着目して乾燥能力を高めるとともに、好みの香りを衣類に付着させる機能を備える用具を、提供するものである。
【課題を解決するための手段】
【０００４】  この考案は下記の機能を備える事により上記の課題を解決できるものである。（１）強制乾燥をさせるために、ハンガーの首（図−１・Ａ）の部分に穴を設け、乾燥機からの送風パイプを接続できる構造とし、送風を衣類の内側に取り込み、乾燥させる用具である。（２）香りを付着させるためには、送風パイプの任意の点（図−２・Ｂ）に香源となるものを設置、送風に香りを乗せ乾燥と同時に衣類に着香させる用具である。
【考案の実施形態】
【０００５】  以下に、この考案の実施形態を説明する。  図−１に示すようにハンガーの首の部分にパイプを接続する穴（Ａ）を設ける。  乾燥時の形態は図−２に示す通り、吊下げ棒にハンガーと乾燥機を吊り，パイプ２で接続する。叉、パイプには任意の点に香源４を取り付ける。
【考案の効果】
【０００６】  この考案によれば、パイプを通して送られきた風と好みの香りが、ハンガーに掛けた衣類を短時間に乾かすとともに、好みの香りを付着させることができる。これにより、日常生活における楽しみ・幸福感・うるおいなどを提供できる。
【図面の簡単な説明】
【０００７】
【図１】は、ハンガーの正面図でＡの部分は送風パイプを接続できる穴、１のハンガー本体の材質は一般的に使用されている樹脂系である。
【図２】は、ハンガーの断面詳細図である。ハンガーと乾燥機を吊下げ棒に吊り、乾燥機は固定バンドで固定する。３の乾燥機と１のハンガーをパイプ２でつなぎ、パイプの任意の点に４の香源を取り付ける。
【符号の説明】
【０００８】１  ハンガー本体で材質は樹脂系である２  ハンガーと乾燥機をつなぐパイプである。３  乾燥機４  乾燥物に付着させる香源。５  固定バンド６  吊下げ棒Ａ  パイプを接続する穴Ｂ  ハンガーの首部分
【図１】
0003130063.tif 000003
【図２】
0003130063.tif 000004
【手続補正書】
【提出日】平成18年11月30日(2006.11.30)
【手続補正１】
【補正対象書類名】実用新案登録請求の範囲
【補正対象項目名】全文
【補正方法】変更
【補正の内容】
【実用新案登録請求の範囲】
【請求項１】
ハンガー本体に乾燥機からの送風パイプを接続し、そのパイプの任意の点に着香用の香源を取り付け、衣類の強制乾燥と同時に、香りを着付させることを特徴とした、乾燥着香ハンガー。
(57)【要約】      （修正有）【課題】衣料等のブランドネームタグに衣料本体を収納できるポケットの機能を設け、衣料の保管場所での形状の崩れを防止する。【解決手段】衣料本体を収納できる布製のブランドネームタグ１、２を、衣料の身頃４に縫い付けることにより、衣料を畳んだ際、ブランドネームタグ１、２の中にコンパクトかつスマートに収納でき、衣料の保管場所での形状の崩れを防止することに役立つ。【選択図】図１
0003130065.tif 000002
【実用新案登録請求の範囲】
【請求項１】
衣料等のブランドネームタグに衣料本体を収納する機能があるポケットを設け、衣料本体をたたんでブランドネームタグの収納ポケット内にコンパクトかつスマートに収納でき、衣料の保管場所で形状を崩すことを防止することを特徴とする収納ポケット付き衣料。
【考案の詳細な説明】
【技術分野】
【０００１】  本考案は、衣料等のブランドネームタグに収納する機能があるポケットを設けた、衣料に関するものである。
【背景技術】
【０００２】  衣料を畳んで保管する場合や旅行等に着替えを持って行く場合等、タンスやバックの中等の保管場所で衣料の形状が崩れたりしていた。
【考案の開示】
【考案が解決しようとする課題】
【０００３】  収納部分を別パーツにすると、収納袋を無くしたり、コスト面の負担、袋に入れる手間がかかる。従って、ブランドネームタグの機能と収納袋の機能を一体化した衣料を作ることにより前途の欠点を解決しようとしたものである。
【課題を解決するための手段】
【０００４】  本考案は、衣料等のブランドネームタグに収納ポケットを設け、その収納ポケットに沿って衣料本体を折り畳み収納ポケットをひっくり返すことで、衣料本体が収納ポケットにコンパクトかつスマートに収まることにより問題点を解決している。
【考案の効果】
【０００５】  上述のように本考案の収納ポケット付き衣料は、普段各ブランドの名前やサイズ、品質等を示すブランドネームタグを収納ポケットと活用して衣料をコンパクトかつスマートに収納し、保管場所での形状の崩れを防止することができる。
【考案の実施するための最良の形態】
【０００６】  衣料のブランドネームタグを２枚少し重ねた袋状のポケットの形にして、衣料本体の内側に縫い付ける。収納の際は、身頃を裏返しにしてブランドネームタグつまり収納ポケットに沿って折り畳み、収納ポケットを折り畳んだ衣料を被うようにひっくり返せば衣料本体をコンパクトかつスマートにまとめて収納できるようになる。
【実施例】
【０００７】  以下、添付図面に従って一実施例を説明する。１、２は布製のブランドネームタグで、これが衣料本体を収納できるポケット部分でもある。４は収納する対象の衣料で、説明ではＴシャツ型を例としている。４の衣料本体に１、２のブランドネームタグを縫い付ける。【０００８】  ４の衣料本体を図２から図５のように折り畳み、１、２の収納ポケットを折り畳んだ図５を３の収納ポケットの入り口から被うようにしてひっくり返す。【０００９】  ひっくり返すと図７のようになり、１、２の収納ポケットで被われた衣料本体がコンパクトにまとめることができる。【００１０】  なお、衣料等にはバック、帽子も含む。
【図面の簡単な説明】
【００１１】
【図１】収納ポケット機能付きブランドネームタグを取り付けた衣料本体の図
【図２】収納前の畳み方の図
【図３】収納前の畳み方の図
【図４】収納前の畳み方の図
【図５】収納前の畳み方の図
【図６】収納ポケットをひっくり返す図
【図７】収納後の図
【符号の説明】
【００１２】  １収納ポケット、ブランドネームタグ上部
２収納ポケット、ブランドネームタグ下部
３収納ポケット入り口
４衣料本体
５収納ポケット、ブランドネームタグ上部裏側
６収納ポケット、ブランドネームタグ下部裏側
【図１】
0003130065.tif 000003
【図２】
0003130065.tif 000004
【図３】
0003130065.tif 000005
【図４】
0003130065.tif 000006
【図５】
0003130065.tif 000007
【図６】
0003130065.tif 000008
【図７】
0003130065.tif 000009
【手続補正書】
【提出日】平成18年11月30日(2006.11.30)
【手続補正１】
【補正対象書類名】実用新案登録請求の範囲
【補正対象項目名】全文
【補正方法】変更
【補正の内容】
【実用新案登録請求の範囲】
【請求項１】
衣料のブランドネームタグに衣料本体を収納する機能があるポケットを設け、衣料本体をたたんでブランドネームタグの収納ポケット内にコンパクトかつスマートに収納でき、衣料の保管場所で形状を崩すことを防止することを特徴とする収納ポケット付き衣料。
(57)【要約】【課題】  本考案は従来の物件を簡単に取付、取外し出来る様にし走行中のシートを収納する箱も飛散しない様に磁石や磁気シート等を併用して従来の物件を改良したものである。【解決手段】  本考案は従来の物件を改良し、▲７▼のシート巻込み芯を取付てシートを自動巻込みにしドアーの開閉時の巻込みを簡単にし、▲５▼▲６▼の磁石及び磁気シートを併用し風圧により箱が飛散しない様にし、▲８▼のシート収納留めを取付けて雨が箱内に入らない様にしたものである。【選択図】図２
0003130042.tif 000002
【実用新案登録請求の範囲】
【請求項１】
降雨時の乗用自動車の乗り降りで傘を絞る時に雨に濡れない様に車とドアーの上部にシートを張り出入りを雨を出来るだけ遮断しスムーズにする雨傘仕様遮断シートであり車の上部に磁気シート及び磁石等で簡単に取付てシート部分をドアー引掛け金具で取付乗降り時は自動で巻上げて走行中は箱内にシートを納めて使用する車載用雨傘仕様雨遮断シート。
【考案の詳細な説明】
【技術分野】
【０００１】  本考案は、車上部に雨傘仕様雨遮断シートを取付て乗降り時に雨に濡れない様にする。
【背景技術】
【０００２】  従来の技術としては複雑な構造であったり、内部からの取付でありシートも紐等での巻上げでとコストや手間のかかる物であった。
【考案が解決しようとする課題】
【０００３】  従来の物件は複雑であったり手間のかかる物であるが、今回の改良は雨天時のみとして改良したもので雨の降っている間の使用の解決を図るものであり、走行中の風圧等も考慮に入れ且つシートの巻込みを手動でなく自動での巻上げにして箱内に納め雨に濡れない様にシート箱内に収める様に従来の欠点を解決したものである。
【課題を解決するための手段】
【０００４】  従来の物件を改良し，シートを納める箱は底盤に走行中に風圧に負けないように取付磁石を工夫し且つ磁気シートとの組合せで安心して走行中の破損を防ぎながらシートの巻込み等を改良し従来の問題点を解決したものである。
【考案を実施するための最良の形態】
【０００５】  本考案は、従来の物件の問題点をシートのドアーへの取付及び箱内収納の巻上げをより簡易にする様に解決したものである。
【実施例】
【０００６】  以下、添付図５に従って一実施例を説明する。▲１▼▲９▼は風の流れをスムーズする様にし、シートの巻込み芯▲７▼をカバーし▲２▼はシート▲３▼を巻込んだ後の走行中の風除けで▲８▼は▲３▼のシートを巻込んだ後の雨が箱内に入り込む事を防ぐ為のものであり、▲５▼は磁石を加工し▲６▼の磁気シートと併用して箱を固定する物である。
【考案の効果】
あ
【０００７】  上述の様に、本考案の求める車載用雨傘仕様雨遮断シートは磁石及び磁気シートを用い取付を簡単にして、ドアーと車体とのフック取付等で上部シートで雨に濡れずに車内に出入り出来る様に解決したものである。
【図面の簡単な説明】
【０００８】
【図１】本考案の実施例を示す全体図である。
【図２】本考案の断面図である。
【図３】本考案の遮断シート止金断面図である。
【図４】本考案の箱の横断面図である。
【図５】本考案の上部面図である。
【符号の説明】
【０００９】▲１▼▲９▼    風流部及び巻込み芯保護ＢｏＸ
▲２▼          風除け
▲３▼          雨除けシート
▲４▼          止金
▲５▼          改良磁石
▲６▼          磁気シート
▲７▼          雨除けシート巻込み芯
▲８▼          シート収納留め
【図１】
0003130042.tif 000003
【図２】
0003130042.tif 000004
【図３】
0003130042.tif 000005
【図４】
0003130042.tif 000006
【図５】
0003130042.tif 000007
【手続補正書】
【提出日】平成18年8月28日(2006.8.28)
【手続補正１】
【補正対象書類名】実用新案登録請求の範囲
【補正対象項目名】全文
【補正方法】変更
【補正の内容】
【実用新案登録請求の範囲】
【請求項１】
降雨時の乗用自動車の乗降で傘を絞るときに雨に濡れない様にする為の考案で図６の略台形状のシート▲３▼及び台形の下方部に辺が多少湾曲した台形状のシート▲１１▼の一方に図７の車体のドアー▲１２▼の窓枠▲１３▼に吸着固定させる為の止金▲４▼を取付、他方には図７車体上部▲１４▼に図２の▲５▼磁石、▲６▼磁気シートを取付た図１の全体図を車体屋根に載せ風に拠り飛ばされない様に脱着可能な防水性を持たせた図１の▲２▼風除け、図２の▲８▼シート収納留め等でシートを保護し、シートの走行中の破損等を防ぎ走行中は▲３▼を図１の全体図に収納して走行使用し簡単に脱着出来る防水性を持たせた車載用雨傘仕様雨遮断シート。
【手続補正２】
【補正対象書類名】明細書
【補正対象項目名】０００９
【補正方法】変更
【補正の内容】
【０００９】▲１０▼      ドアー窓枠
▲１１▼      台形状防水シート湾曲部
▲１２▼      車体ドアー
▲１３▼      窓枠
▲１４▼      車体屋根
【手続補正３】
【補正対象書類名】図面
【補正対象項目名】図６
【補正方法】追加
【補正の内容】
【図６】
0003130042.tif 000008
【手続補正４】
【補正対象書類名】図面
【補正対象項目名】図７
【補正方法】追加
【補正の内容】
【図７】
0003130042.tif 000009
【手続補正書】
【提出日】平成18年11月21日(2006.11.21)
【手続補正１】
【補正対象書類名】実用新案登録請求の範囲
【補正対象項目名】全文
【補正方法】変更
【補正の内容】
【実用新案登録請求の範囲】
【請求項１】
降雨時に車の乗降りで傘を絞る時、出来るだけ雨に濡れない様にする為の車載用雨傘仕様雨遮断シートで、車体屋根に磁石、磁気シートを取付けた収納ボックス内に納めた略台形状のシート及び台形下方部の辺が多少湾曲した台形状のシートに車体ドアー窓枠上部に吸着固定させる為の止金を取付、ドアーと車体の間に防水性を持たせたシートで屋根を張り雨に濡れない様に車内に出入りする為の考案で、走行中は収納ボックス内に巻上げたシートを止金でドアー窓枠に吸着固定し、風に拠り飛ばされない様に磁石、磁気シート等で固定した収納ボックスを風除け、収納留め等でシートを保護、収納し、シートの破損を防ぎ晴天時はボックスを取外して走行する為の車載用雨傘仕様雨遮断シート
(57)【要約】      （修正有）【課題】入浴時、浴槽に浸り身体を温めるだけで、手足や首筋を手で揉む位のことしかできなかったが、この枕は浴槽に浸りながら自分で球により首筋を指圧し、なおかつ球の材質によりリラクゼーション効果を求める事ができる。【解決手段】枕１として適度の柔らかさの樹脂製やゴム系の材料もしくは木の香りや感触を楽しむ木製のもので首筋がゆったりと載せられる曲線の面に数個の穴を成型し、その穴に芳香発生材入りやラドンガス発生材入り、永久磁石の物のほか材質は特定しないがその球を挿入して首筋の指圧を行うもので、この穴の深さは枕の表面より少し球３が突出する程度の深さとし、穴の内部は球の直径より少し大きめにして表面側は球の直径より少し小さめにする。これにより使用時、首を上下左右に動かしても球が回転するので動作がスムーズになる。【選択図】図１
0003130048.tif 000002
【実用新案登録請求の範囲】
【請求項１】
入浴の際、浴槽内に座って上体を後ろに反らし後頭部から首にかけて浴槽の縁に乗せて、その位置にツボをマッサージする目的の枕を置くもので、その面を首の曲線に合せて成型し、その曲線の面に数個の球を挿入する事により首のツボを押えるものである。一般家庭の浴槽の縁は平面と斜面になっているが、その角に置けるよう枕の底面を凹ませどの角度にでも置けるようにする。又、挿入する球の材質は特定しないが芳香発生材入りでリラックス効果のあるものとか身体によいといわれるラドンガスが発生するもの、或いは首や肩の凝りを和らげるといわれる永久磁石入りの物等を使用すると、より一層使用する価値が期待出来る。枕の形状は大きさとしては長辺で首の直径、約１３ｃｍ位、短辺で約５ｃｍ位の物なので携帯用として温泉とか公衆浴場等、その他屋内や屋外何処に於いても広範囲に簡単に使用出来るものである。
【考案の詳細な説明】
【技術分野】
【０００１】  本考案は入浴時に首のツボを球でマッサージする事と、球の材料によってリラクゼーション効果を発揮する枕で、家での入浴時や携帯用として温泉等に持参して使用したり場所を特定することなく使用出来る枕を提供するものである。
【背景技術】
【０００２】  従来は浴槽の背もたれ部分に木の板をつけて、その板に首部指圧子と肩部指圧子を差し込んだもの（実用新案文献１参照）や、突起を付けたシート状の物を浴槽の縁に密着させてそれに首の後を当てて頭を左右に回して使用するもの（実用新案文献２参照）がある。
【実用新案文献１】
実願平７−５２８号    公報
【実用新案文献２】
実願平６−７８７２号  公報
【考案の開示】
【考案が解決しようとする課題】
【０００３】  入浴は、ただ身体を洗うという目的だけでなく心身の疲れを癒しリラックスする場であるゆえ、浴槽に浸かりながら指圧やリラクゼーション効果を期待する絶好の場である。温泉や公衆浴場等ではブローバスとか気泡バス、寝湯等があるが何れも装置されているもので個人の所有の物ではない。又、既文献の物もどんな浴槽にでも使える物ではなく、携帯用ではない。
【課題を解決するための手段】
【０００４】  本考案はマッサージ用の枕としての効果と、心身をリラックスさせる効果を発揮するもので、枕本体は材質的にやや軟質の樹脂系或いはゴム系、その他杉、桧等の天然木で木の香りと感触を楽しめるものも良い。挿入する球の材質は特定しないが、マッサージ効果があるような硬さにする。枕本体に球を挿入する穴は内部で少し大きくし、球の入口は球の直径より少し小さくして押し込んで入れるようにする。この様にすれば首を上下左右に動かしても球が回転して首の動きもスムーズになるし、携帯時に球が外れる事もない。枕本体の長辺の中央部で折りたためる様にするとよりコンパクトになる。
【考案を実施するための最良の形態】
【０００５】  図１に示すように枕本体の上部すなわち首を載せる面を曲線状にし、その面に球を入れ込む穴を複数を成型で作っておく。木製の場合は枕の型を整えた後、穴をあける。【０００６】  図２に示すように枕本体の下部はどんな形の浴槽の縁にでも置けるよう又、どんな場所ででも安定して使用出来る様にＬ型に凹ませておく。【０００７】  図３に示すように枕本体の穴に入れ込む球は指圧マッサージとリラクゼーション効果を目的とし、その大きさは手の指先程度の大きさでいい。又、その球の材質は特定はしないが、先述のように芳香発生材入り、ラドンガス発生材入り、永久磁石入り等を好みに合せて取替えて使用する。
【考案の効果】
【０００８】  入浴時に浴槽に浸って身体を温めるだけでなく、首筋をマッサージすることにより、より一層快感を与えるもので、特に昨今の温泉ブームで入浴を楽しむ時間が多くなってきてこの携帯リラックス枕の効果を発揮する機会が増える。そして指圧をする球もさまざまな効果を期待できる材料の物もあり、その取替も容易に出来る。又、この枕は家庭での入浴や温泉入浴のほか、例えば理美容室でシャンプーの際、後へ身体を寝かせるシャンプー台ではその首下に入れて使う事も出来るし、屋内や屋外でもちょっとした休息の時に場所を選ばず手軽に使用できる。
【図面の簡単な説明】
【０００９】
【図１】  本考案の姿図である。
【図２】  本考案の側面図である。
【図３】  本考案の平面図である。
【図４】  本考案の長辺方向の断面図である。
【図５】  本考案の短辺方向の断面図である。
【図６】  本考案の一般浴槽での使用例の図である。
【符号の説明】
【００１０】  １・・・枕本体
２・・・球を挿入する穴
３・・・マッサージ用の球
【図１】
0003130048.tif 000003
【図２】
0003130048.tif 000004
【図３】
0003130048.tif 000005
【図４】
0003130048.tif 000006
【図５】
0003130048.tif 000007
【図６】
0003130048.tif 000008
【手続補正書】
【提出日】平成18年10月27日(2006.10.27)
【手続補正１】
【補正対象書類名】実用新案登録請求の範囲
【補正対象項目名】全文
【補正方法】変更
【補正の内容】
【実用新案登録請求の範囲】
【請求項１】
入浴時や身体を仰向けにして寝た時に、首筋に沿った曲線状の枕でその枕の中に可動球を数個挿入して首のツボを押さえ、マッサージ効果を得る構造を有するコンパクトな形状の携帯枕。
(57)【要約】【課題】本考案は、化粧用パフを洗った後乾燥させる台である。【解決手段】本考案は、パフ台本体１上部、３の突起にパフを置き乾燥させる。２台以上ある時は、２，２ａを重ねると、段々に乾燥することができる。【選択図】図１
0003130046.tif 000002
【実用新案登録請求の範囲】
【請求項１】
化粧用パフを洗って、パフを載せて乾燥させる台。
【考案の詳細な説明】
【技術分野】
【０００１】本考案は、化粧用パフの乾燥
【背景技術】
【０００２】パフを洗った時、洗濯用ピンチで干すとあとがついた。
【考案が解決しようとする課題】
【０００３】パフを洗った時、いつもどうやって乾かすか悩んでいた。空中に浮いたようにすれば、ピンチのへこみもなく欠点を解決しようとするものである。
【課題を解決するための手段】
【０００４】本考案は、化粧用パフの乾燥方法として、風通しとピンポイントでパフを支えへこみの欠点を解決し、なおかつ、衛生的である。
【実施例】
【０００５】以下、添付図面に従って一実施例を説明する。１は、抗菌剤入りプラスチック等適宜素材にて、一体化形成された台。２，２ａは、重ねて使用するための溝３は、パフを支える突起。４は、風通しの穴。３，４は、数、大きさ、位置は変化可能なものとする。
【図面の簡単な説明】
【０００６】
【図１】本考案のパフ台の一実施例を示すアイソメトリックス図。
【図２】本パフ台の平面図、立面図、側面図である。
【符号の説明】
【０００７】１    パフ台本体
２    溝
２ａ  溝
３    突起
４    通風孔
【図１】
0003130046.tif 000003
【図２】
0003130046.tif 000004
【手続補正書】
【提出日】平成18年10月23日(2006.10.23)
【手続補正１】
【補正対象書類名】実用新案登録請求の範囲
【補正対象項目名】全文
【補正方法】変更
【補正の内容】
【実用新案登録請求の範囲】
【請求項１】
平板状部材を有する本体と前記、平板状部材上に配置され、パフを支持する複数の突起と前記平面状部材上に前記突起の間に配置される複数の風通し穴を具備するパフ台。
【請求項２】
前記本体が、前記平板状部材の対向する側部に直交して配置される第１、第２の脚部を有する請求項１記載のパフ台。
【請求項３】
前記第１、第２の脚部が、端部に溝部を有する請求項２記載のパフ台。
(57)【要約】      （修正有）【課題】強い日差しから頭部守る物として、帽子及び傘はあるが、帽子の場合は頭部に空気が流れないために蒸れる、頭部は帽子で押さえられるために髪型がくずれる。また傘の場合は手で持たなければならない。そこで蒸れない、頭部に空気が流れて涼しい、髪型がくずれない、笠を手で持たなくて良い日よけ笠を提供する。【解決手段】笠と頭部の間に空間を設ける。【選択図】図２
0003130044.tif 000002
【実用新案登録請求の範囲】
【請求項１】
笠を円錐形にする（図１）
【請求項２】
笠を頭部に固定するためリング（１）を設け、笠とリングを支柱（２）で支える。
【請求項３】
リング（１）のサイズを可変出来るようにマジックテープ（３）、（４）を設ける。
【考案の詳細な説明】
【技術分野】
【０００１】  本考案は、強い日差しから頭部を守るための笠である。
【背景技術】
【０００２】  従来は、強い日差しから頭部守る物として、帽子及び傘はあるが、帽子の場合は頭部に空気が流れないために蒸れる、頭部は帽子で押さえられるために髪型がくずれる。
また傘の場合は手で持たなければならない。
【考案の開示】
【考案が解決しようとする課題】
【０００３】  背景技術で述べた問題点の解決として、頭部に空気が流れる様にする、髪型がくずれない様にするため頭部を押さえない様にする、笠を手で持たないで良い様にすることにより、問題点を解決しようとするものである。
【課題を解決するための手段】
【０００４】  笠の形状を円錐形にすることにより頭部に空気が流れること及び、笠を支柱で支えることで、頭部に空気が流れることで、課題を解決する。
【考案の効果】
【０００５】  頭部が蒸れない、笠と頭部の間に空気が通るために涼しい、髪型がくずれない、手に持たないで良いことから、効果がある。
【考案を実施するための最良の形態】
【０００６】  笠の部分を円錐形（１）にする。またその笠を支えるために支柱（２）を図で示す形状にする。
また、リングのサイズを変更出来る様にリングにマジックテープ２箇所（３）を設ける、更にサイズを大きく変更出来る様にマジックテープ（４）を笠と支柱に設けて止める。
【実施例】
【０００７】  強い日差しから頭部を守れて、更に笠と頭部の間に空気が流れるので頭部が蒸れない、猛暑の下でも涼しい、髪型がくずれない、手に持たないで良い。
【産業上の利用可能性】
【０００８】  本考案は、強い日差しから頭部を守る笠であり、特徴として頭部に空気が流れるために蒸れない、また頭部を押さえないため髪型がくずれなく、手に持たないで良いことから、利用の可能性が有る。
【図面の簡単な説明】
【０００９】
【図１】笠の側面    円錐形の笠を示した図である。
【図２】
0003130044.tif 000003
【符号の説明】
【００１０】    １  頭部固定リング
２  リングを支える支柱
３  マジックテープ
４  マジックテープ
【図１】
0003130044.tif 000004
【図２】
0003130044.tif 000005
【手続補正書】
【提出日】平成18年8月20日(2006.8.20)
【手続補正１】
【補正対象書類名】実用新案登録請求の範囲
【補正対象項目名】全文
【補正方法】変更
【補正の内容】
【実用新案登録請求の範囲】
【請求項１】
円錐形の笠と頭部に空気が流れることを特徴とする円錐形の笠
【請求項２】
笠をリングで支えるため（２）図で示す形状の支柱
【手続補正２】
【補正対象書類名】明細書
【補正対象項目名】０００６
【補正方法】変更
【補正の内容】
【０００６】  笠の部分を円錐形（１）にする。またその笠を支えるために支柱（２）を図で示す形状にする。
また、リングのサイズを変更出来る様にリングに面ファスナー２カ所（３）を設ける、更にサイズを大きく変更出来る様に面ファスナー（４）を笠と支柱に設けて止める。
【手続補正３】
【補正対象書類名】明細書
【補正対象項目名】００１０
【補正方法】変更
【補正の内容】
【００１０】  １  頭部固定リング
２  リングを支える支柱
３  面ファスナー
４  面ファスナー
【手続補正書】
【提出日】平成18年10月29日(2006.10.29)
【手続補正１】
【補正対象書類名】実用新案登録請求の範囲
【補正対象項目名】全文
【補正方法】変更
【補正の内容】
【実用新案登録請求の範囲】
【請求項１】
円錐形の笠と頭部に空気が流れるようにした円錐形の笠であって、笠を頭部に固定するためリング（１）を儲け、リングをＬ字型の支柱（２）で支えることを特徴とする笠
【請求項２】
リング（１）のサイズを可変できるように面ファスナー（３）をリングの端とリングの中央部に設けたことを特徴とする請求項１に記載の笠
(57)【要約】【課題】        マンション用の消防隊進入用非常時開錠装置を不正使用した部外者の不正侵入の解消。【解決手段】    従来の消防隊進入用非常時開錠装置４０の開錠スイッチ１２のＯＮ操作時に従来の消防隊進入用非常時開錠装置４０の警報装置３へ供給される起動電源を分岐して非常時開錠装置用不正使用防止装置２０のリレー９に接続し、リレー９を起動させ、リレー９の起動信号をオフディレータイマー１に接続し、任意設定した時間、警報装置３による警報音と回転灯やフラッシングのンプ４を点灯させることにより威嚇を行い、この課題を解決する。【選択図】図１
0003130098.tif 000002
【実用新案登録請求の範囲】
【請求項１】
マンション用の消防隊進入用非常時開錠装置の警報装置への起動電源を分岐してリレーに接続し起動させ、リレーの接点出力をオフディレータイマーに接続し、任意設定した時間で、警報装置の警報音と回転灯やフラッシングランプを点灯させる非常時開錠装置用の不正使用防止装置。
【考案の詳細な説明】
【技術分野】
【０００１】  本考案は、マンション用の消防隊進入用非常時開錠装置の不正使用防止用器具に関する。
【背景技術】
【０００２】  従来のマンション用の消防隊進入用非常時開錠装置では、開錠スイッチ操作時で警報音を鳴らし、電気錠の開錠操作を行うことで、消防隊の進入を可能にしていた。
【考案の開示】
【考案が解決しようとする課題】
【０００３】  しかし、開錠スイッチを復帰させた時点で警報音が鳴り止むため、瞬間的な開錠スイッチのＯＮ、ＯＦＦ操作では、警報音も瞬間的にしか鳴らない、しかし、瞬間的なＯＮ、ＯＦＦ操作でも集合玄関の電気錠や自動ドアは開錠してしまうため、部外者のマンション建物内への不正侵入が容易になっている。
【課題を解決するための手段】
【０００４】  そこで、開錠スイッチのＯＮ操作時の警報装置への電源を分岐してリレーを起動させ、リレーの接点出力端子をオフディレータイマーに接続し、任意設定した時間、警報装置による警報音と回転灯やフラッシングランプを点灯させることにより威嚇を行う。
【考案の効果】
【０００５】  よって、本考案の非常時開錠装置用不正使用防止装置により、非常時開錠装置を悪用した、不正侵入を防ぐことが出来る。
【考案を実施するための最良の形態】
【０００６】  本考案に係る非常時開錠装置用不正使用防止装置２０は、図１に示すように、従来の消防隊進入用非常時開錠装置４０の開錠スイッチ１２の操作により、従来の消防隊進入用非常時開錠装置４０の警報装置３へ発生する電源を分岐してリレー９の起動電源入力端子１０に接続し、リレー９を起動させ、リレー９の接点出力端子１１をオフディレータイマー１の起動入力端子６に接続する、オフディレータイマー１は、任意設定された時間、接点出力端子８より起動信号を出力し、交流電源５を整流した整流回路２よりの電源供給を警報装置３と回転灯やフラッシングランプ４へ行う。
オフディレータイマー１が駆動するための電源は電源入力端子７より供給する。
【図面の簡単な説明】
【０００７】
【図１】  本考案に係る非常時開錠装置用不正使用防止装置の回路図及び従来の消防隊進入用非常時開錠装置及び従来の電気錠又は自動ドアとの接続を示したものである。
【符号の説明】
【０００８】１      オフディレータイマー
２      整流回路
３      警報装置
４      回転灯やフラッシングランプ
５      交流電源
６      起動入力端子
７      電源入力端子
８      接点出力端子
９      リレー
１０    起動電源入力端子
１１    接点出力端子
１２    開錠スイッチ
２０    非常時開錠装置用不正使用防止装置
３０    従来の電気錠
４０    従来の消防隊進入用非常時開錠装置
【図１】
0003130098.tif 000003